(57)【要約】【課題】  管理負荷の軽減を実現することができるＳＩＰサーバ及びＶｏＩＰ電話システムを提供する。【解決手段】  一組のＶｏＩＰ電話端末Ａ，Ｂ間でのＶｏＩＰ通話に対する呼制御を行いつつ複数組のＶｏＩＰ電話端末間でのＶｏＩＰ通話に対する呼制御を管理すると共に通話中の各ＶｏＩＰ電話端末間におけるセッション時間を管理するセッションタイマが設定されたＳＩＰサーバ１０において、ＶｏＩＰ電話端末間でのＶｏＩＰ通話に対する呼制御数に応じてセッションタイマのセッション管理時間が変更される。【選択図】        図１
2006222667.tif 000002
【特許請求の範囲】
【請求項１】
一組のＶｏＩＰ電話端末間でのＶｏＩＰ通話に対する呼制御を行いつつ複数組のＶｏＩＰ電話端末間でのＶｏＩＰ通話に対する呼制御を管理すると共に通話中の各ＶｏＩＰ電話端末間におけるセッション時間を管理するセッションタイマが設定されたＳＩＰサーバにおいて、
前記ＶｏＩＰ電話端末間でのＶｏＩＰ通話に対する呼制御数に応じてセッションタイマのセッション管理時間を変更することを特徴とするＳＩＰサーバ。
【請求項２】
前記セッションタイマのセッション管理時間の変更は、前記ＳＩＰサーバの設定呼制御管理数に応じて段階的に変更することを特徴とする請求項１に記載のＳＩＰサーバ。
【請求項３】
前記セッションタイマのセッション管理時間の変更は、前記ＳＩＰサーバの設定呼制御管理数に応じてＶｏＩＰ通話中である複数組の全てを一律に変更することを特徴とする請求項２に記載のＳＩＰサーバ。
【請求項４】
請求項１乃至請求項３の何れかに記載のＳＩＰサーバを用いたことを特徴とするＶｏＩＰ電話システム。
【発明の詳細な説明】
【技術分野】
【０００１】
本発明は、ＶｏＩＰ（Ｖｏｉｃｅ ｏｖｅｒ  Ｉｎｔｅｒｎｅｔ  Ｐｒｏｔｏｃｏｌ）電話システムに用いられて呼制御を行うＳＩＰサーバ及びそのＳＩＰサーバを用いたＶｏＩＰ電話システムに関する。
【背景技術】
【０００２】
近年、インターネットの普及並びに通信速度の向上等により、インターネット・プロトコル（Ｉｎｔｅｒｎｅｔ  Ｐｒｏｔｏｃｏｌ＝ＩＰ）ネットワークを利用して音声信号を送る技術であるＶｏＩＰを用いて電話通信を可能としたＶｏＩＰ電話システムが提供されている。
【０００３】
このＶｏＩＰ電話システムは、例えば、一般のＬＡＮ（ローカル・エリア・ネットワーク）用の規格であるＩＴＵ‐Ｔ勧告Ｈ.３２３を用いて構成され、ＶｏＩＰ電話システムの代表的な呼制御プロトコルとしてはＳＩＰ（Ｓｅｓｓｉｏｎ  Ｉｎｉｔｉａｔｉｏｎ  Ｐｒｏｔｏｃｏｌ）を用い、その管理サーバとしてＳＩＰサーバが用いられている。
【０００４】
一方、このＳＩＰサーバには、通話中のＶｏＩＰ電話端末間での通話状態を設定時間単位で監視し、通話状態にないと判断した場合には通話状態を終了させるセッションタイマを設けたものが知られている（例えば、特許文献１参照。）。
【０００５】
このセッションタイマは、例えば、発呼ユーザからの“ＩＮＶIＴＥ”メゾットに含まれる“Ｓｅｓｓｉｏｎ−Ｅｘｐｉｒｅｓ”のヘッダ値により設定され、着呼ユーザではレスポンス２００の“ＯＫ”によりヘッダ値を同じ値に設定することでセッションタイマ値にズレがないように設定されている。尚、発呼側と着呼側とのヘッダ値を一致させる必要があるのは、ＳＩＰサーバの管理能力によって異なることに起因する。
【０００６】
図３は、このような通話中における両者間でのセッションタイマ値の設定例を示すシーケンス図である。
【０００７】
図３において、通話が確立すると、ここでは着呼側のＶｏＩＰ電話端末Ｂから所定ヘッダ値の“Ｓｅｓｓｉｏｎ−Ｅｘｐｉｒｅｓ”を含む“ｒｅ−ＩＮＶＩＴE”メゾットがＳＩＰサーバ１０に送信される。
【０００８】
ＳＩＰサーバ１０は着呼側のＶｏＩＰ電話端末Ｂにメゾット１００の“Ｔｒｙｉｎｇ”を送信した後、発呼側のＶｏＩＰ電話端末Ａに所定ヘッダ値の“Ｓｅｓｓｉｏｎ−Ｅｘｐｉｒｅｓ”を含む“ｒｅ−ＩＮＶＩＴE”メゾットを送信する。
【０００９】
そして、発呼側のＶｏＩＰ電話端末Ａは、ＳＩＰサーバ１０にメゾット１００の“Ｔｒｙｉｎｇ”を送信し、セッションタイマ値の変更が完了した時点でレスポンス２００の“ＯＫ”を着呼側のＶｏＩＰ電話端末Ｂに送信する。
【特許文献１】特開２００３−２５８８７７号公報
【発明の開示】
【発明が解決しようとする課題】
【００１０】
ところで、上記の如く構成されたＳＩＰサーバ１０にあっては、通話状態が確立した際には両者間のセッションタイマ値を一致させつつ多数組のＶｏＩＰ通話の呼制御を可能としている。
【００１１】
従って、呼制御数が増えると、ＳＩＰサーバの負荷も増大するため、セッションカウント時間にズレのある多数の通話セッション時間を管理するには限界が生じてくるという問題があった。
【００１２】
そこで、本発明は、上記事情を考慮し、管理負荷の軽減を実現することができるＳＩＰサーバ及びＶｏＩＰ電話システムを提供することを目的とする。
【課題を解決するための手段】
【００１３】
請求項１に記載のＳＩＰサーバは、一組のＶｏＩＰ電話端末間でのＶｏＩＰ通話に対する呼制御を行いつつ複数組のＶｏＩＰ電話端末間でのＶｏＩＰ通話に対する呼制御を管理すると共に通話中の各ＶｏＩＰ電話端末間におけるセッション時間を管理するセッションタイマが設定されたＳＩＰサーバにおいて、前記ＶｏＩＰ電話端末間でのＶｏＩＰ通話に対する呼制御数に応じてセッションタイマのセッション管理時間を変更することを特徴とする。
【００１４】
請求項１に記載のＳＩＰサーバによれば、一つのＳＩＰサーバで複数のＶｏＩＰ通話の呼制御を行う際、その呼制御数に応じて各ＶｏＩＰ電話端末間におけるセッション管理時間が変更される。
【００１５】
請求項２に記載のＳＩＰサーバは、前記セッションタイマのセッション管理時間の変更は、前記ＳＩＰサーバの設定呼制御管理数に応じて段階的に変更することを特徴とする。
【００１６】
請求項２に記載のＳＩＰサーバによれば、ＳＩＰサーバの管理能力を考慮して予め設定された呼制御管理数に応じてセッションタイマのセッション管理時間が段階的に変更される。
【００１７】
請求項３に記載のＳＩＰサーバは、前記セッションタイマのセッション管理時間の変更は、前記ＳＩＰサーバの設定呼制御管理数に応じてＶｏＩＰ通話中である複数組の全てを一律に変更することを特徴とする。
【００１８】
請求項３に記載のＳＩＰサーバによれば、ＶｏＩＰ通話中にある全てが一律に変更される。
【００１９】
請求項４に記載のＶｏＩＰ電話システムは、請求項１乃至請求項３の何れかに記載のＳＩＰサーバを備えていることを特徴とする。
【発明の効果】
【００２０】
請求項１に記載の発明は、呼制御数の増大に伴うＳＩＰサーバへの負荷をセッション管理時間の変更による呼制御量の軽減により緩和することができる。
【００２１】
請求項２に記載の発明は、呼制御管理数が予め設定された所定数を超える毎にセッション管理時間が変更される。この際、既に管理下にあった通話中のものは変更前のセッション管理時間で管理することにより、既に管理下にあった通話中のものは長時間の通話であって比較的短時間で通話が終了する可能性が高いことから、課金に対する利便性を維持することができる。
【００２２】
請求項３に記載の発明は、呼制御管理数が予め設定された所定数を超える毎にセッション管理時間が一律に変更されることにより、ＳＩＰサーバへの負荷をより一層軽減することができる。
【発明を実施するための最良の形態】
【００２３】
次に、本発明の一実施形態に係るＳＩＰサーバについて、図面を参照して説明する。
【００２４】
図１は本発明のＳＩＰサーバを利用した呼制御に関する具体的なシーケンス図である。
【００２５】
図１において、発呼側のＶｏＩＰ電話端末Ａと着呼側のＶｏＩＰ電話端末Ｂとが公知のシステム構成によりＳＩＰサーバ１０を呼制御サーバとして通話状態を確立しているものとし、上述したセッション管理時間が吊りあっている状態にあるとき、図示を略する他のＶｏＩＰ電話端末同士の通話がＳＩＰサーバ１０によって呼制御管理下に追加されたものとする。
【００２６】
この際、予め設定された呼制御数を超えた場合、ＳＩＰサーバ１０から各ＶｏＩＰ電話端末Ａ，Ｂに“ＩＮＶＩＴＥ”メゾットが送信される。この“ＩＮＶＩＴＥ”メゾットには、所定ヘッダ値の“Ｓｅｓｓｉｏｎ−Ｅｘｐｉｒｅｓ”が含まれている。
【００２７】
具体的には、ＳＩＰサーバ１０の呼制御の管理能力に寄るが、一例として図２に示したものでは、ＳＩＰサーバ１０が１〜４９組のＶｏＩＰ通話を管理している状態では“Ｓｅｓｓｉｏｎ−Ｅｘｐｉｒｅｓ”のヘッダ値は１２０に設定されており、実際のセッション管理時間は６０秒となっている。
【００２８】
従って、５０組目のＶｏＩＰ通話の呼制御をＳＩＰサーバ１０が開始した場合、既にＶｏＩＰ通話状態にあったＶｏＩＰ電話端末Ａ，Ｂのそれぞれに対して送信された“ＩＮＶＩＴＥ”メゾットの“Ｓｅｓｓｉｏｎ−Ｅｘｐｉｒｅｓ”のヘッダ値は２４０となり、実際のセッション管理時間は１２０秒となる。
【００２９】
そして、各ＶｏＩＰ電話端末Ａ，Ｂはセッション管理時間の設定変更がなされると共に、その設定変更の完了を示すレスポンスコード２００の“ＯＫ（成功）”がＳＩＰサーバ１０に送信される。尚、この場合、他のＶｏＩＰ通話中のものも同様に設定変更がなされるが、ここではその説明は省略する。
【００３０】
一方、この状態、即ち、セッション管理時間の変更がなされた状態から、１組のＶｏＩＰ通話が完了した場合、ＳＩＰサーバ１０が呼制御する数が再び４９組となるため、他のＶｏＩＰ通話状態にあるＶｏＩＰ電話端末Ａ，Ｂのそれぞれに対して送信された“ＩＮＶＩＴＥ”メゾットの“Ｓｅｓｓｉｏｎ−Ｅｘｐｉｒｅｓ”のヘッダ値が再び１２０となり、実際のセッション管理時間が６０秒に復帰する。
【００３１】
また、セッション管理時間の変更のための“ＩＮＶＩＴＥ”メゾットが送信されたにも係わらず、レスポンスコード２００の“ＯＫ（成功）”がＳＩＰサーバ１０に送信されない場合には、セッション時間経過後にその通話状態が終了される。
【００３２】
尚、上記実施の形態では、既にＶｏＩＰ通話中にあるＶｏＩＰ電話端末Ａ，Ｂのセッション管理時間を変更するものとして開示したが、新たに呼制御対象となったＶｏＩＰ通話のみを変更後のセッション時間で管理しても良い。この場合、他のＶｏＩＰ通話が終了してＳＩＰサーバ１０の呼制御数をあげることができる状態となった際には、長いセッション管理時間にあるＶｏＩＰ通話のセッション管理時間を短くすることも可能である。
【図面の簡単な説明】
【００３３】
【図１】本発明のＳＩＰサーバを利用した呼制御に関する具体的なシーケンス図である。
【図２】本発明のＳＩＰサーバにおける呼制御数とセッション管理時間との関係を示す図表である。
【図３】セッション時間の調和を図るシーケンス図である。
【符号の説明】
【００３４】
Ａ…ＶｏＩＰ電話端末
Ｂ…ＶｏＩＰ電話端末
１０…ＳＩＰサーバ
【図１】
2006222667.tif 000003
【図２】
2006222667.tif 000004
【図３】
2006222667.tif 000005